(57)【要約】【課題】アクセスポイントに接続するための設定を媒体にさせるようにできる技術を提供する。【解決手段】アクセスポイントとして動作する機能とクライアントとして動作する機能とを備えた媒体と、他のアクセスポイントを用いて、この媒体とクライアント同士として連携しようとする電子機器とを含む接続システムにおいて、前記媒体はアクセスポイントとして動作した後、前記電子機器からの設定情報に基づいて前記他のアクセスポイントのクライアントとして動作する接続システム。【選択図】  図１
2014086846.tif 000002
【特許請求の範囲】
【請求項１】
アクセスポイントとして動作する機能とクライアントとして動作する機能とを備えた媒体に対して、機能設定を行う電子機器において、
前記媒体のアクセスポイントとしての動作からクライアントとしての動作へ切り替えるためのコマンドを生成するコマンド生成部と、
前記コマンドを前記媒体へ送信する送信部と、
を備えた電子機器。
【請求項２】
アクセスポイントとして動作するアクセスポイント部と、
クライアントとして動作するクライアント部と、
電子機器からの設定情報に基づいて前記アクセスポイント部に替えて、他のアクセスポイントのクライアントとして前記クライアント部を動作させるよう働くコマンド解析部とを備えた媒体。
【請求項３】
アクセスポイントとして動作する機能とクライアントとして動作する機能とを備えた媒体と、他のアクセスポイントを用いて、この媒体とクライアント同士として連携しようとする電子機器とを含む接続システムにおいて、
前記媒体はアクセスポイントとして動作した後、前記電子機器からの設定情報に基づいて前記他のアクセスポイントのクライアントとして動作する接続システム。
【請求項４】
前記設定情報は、アクセスポイントの識別子と暗号方式と暗号鍵とを含む請求項３に記載の接続システム。
【請求項５】
前記電子機器は、前記設定情報を入力するユーザインターフェースを更に備える請求項３に記載の接続システム。
【請求項６】
前記電子機器は、Wi-Fi Protected Setupを用いて前記設定情報を送信する送信部を備える請求項３に記載の接続システム。
【請求項７】
前記電子機器から前記設定情報に含まれる送信方法に応じて、Wi-Fi Protected Setupを用いて前記他のアクセスポイントのクライアントとして動作する請求項２に記載の媒体。
【請求項８】
アクセスポイントとして動作する機能とクライアントとして動作する機能とを備えた媒体と、他のアクセスポイントを用いてこの媒体とクライアント同士として連携しようとする電子機器とを含む接続システムにおける接続制御方法であって、
前記媒体がアクセスポイントとして動作する第一の工程と、前記電子機器からの設定情報に基づいて前記他のアクセスポイントのクライアントとして前記媒体が動作する第二の工程を含む接続制御方法。
【発明の詳細な説明】
【技術分野】
【０００１】
本発明の実施形態は、媒体、電子機器、接続システム、接続制御方法に関する。
【背景技術】
【０００２】
ＤＬＮＡ（Digital Living Network Alliance）ガイドラインにおけるコンテンツを提供するサーバーであるＤＭＳ（digital media server）などの機能を持つ、例えばＴＶ（テレビ）等の機器はサービスを継続的に維持するためアクセスポイントとの接続を切ることができないので、ある媒体との連携を想定する場合、媒体をクライアントとして動作させ、アクセスポイントに接続させる必要がある。
【０００３】
しかしながら、ユーザインターフェースを持たない媒体もあり、そのような媒体はそれ自体だけではアクセスポイントに接続するための設定ができない。そこで、アクセスポイントに接続するための設定を機器を用いて媒体にさせ、機器がアクセスポイントを介して媒体にアクセスするようにできる技術への要望がある。
【先行技術文献】
【特許文献】
【０００４】
【特許文献１】特開２００４−３２０１３２号公報
【発明の概要】
【発明が解決しようとする課題】
【０００５】
本発明の実施の形態は、アクセスポイントに接続するための設定を媒体にさせるようにできる技術を提供することを目的とする。
【課題を解決するための手段】
【０００６】
上記課題を解決するために、実施形態によれば、アクセスポイントとして動作する機能とクライアントとして動作する機能とを備えた媒体と、他のアクセスポイントを用いて、この媒体とクライアント同士として連携しようとする電子機器とを含む接続システムにおいて、前記媒体はアクセスポイントとして動作した後、前記電子機器からの設定情報に基づいて前記他のアクセスポイントのクライアントとして動作する。
【図面の簡単な説明】
【０００７】
【図１】実施形態に係わる無線接続システムの概略図。
【図２】実施形態に係わる携帯型撮像装置の構成の一例を示すブロック図。
【図３】実施形態に係わる無線接続システムで用いられる、媒体に無線ＬＡＮ接続を設定する側の電子機器（ＴＶ）の構成の一例を示すブロック図。
【図４】実施形態に係わる無線接続システムで用いられる、電子機器（テレビ）５０などから無線ＬＡＮ接続を設定される側の媒体を中心とする機能ブロックを示す図。
【図５】実施形態に係わる無線接続システムで用いられる、電子機器（携帯型撮像装置）４０に対して無線ＬＡＮ接続を設定する側の電子機器（ＴＶ）の機能ブロックを示す図。
【図６】実施形態に係わる無線接続システムで用いられる設定動作を説明するシーケンスチャート。
【図７】実施形態に係わる無線接続システムで用いられる設定動作を説明するシーケンスチャート。
【図８】実施形態に係わる無線接続システムで用いられる設定動作を説明するシーケンスチャート。
【発明を実施するための形態】
【０００８】
以下、本発明の一実施形態を図１乃至図８を参照して説明する。
図１は、実施形態に係わる無線接続システムの概略図である。
【０００９】
多数の端末間で通信を行う際のアーキテクチャにおいて、クライアント側から見た無線ＬＡＮの接続形態は、アクセスポイントの使用の有無で2つのモードに大別できる。アクセスポイントを使用するのがインフラストラクチャー・モードである。即ち無線ＬＡＮクライアントはアクセスポイントを介して通信を行う。
【００１０】
そこで、この実施形態においては、図１に示すように、まず、電子機器（携帯型撮像装置）４０と電子機器（ＴＶ）５０は、アクセスポイント（ＡＰ）６０を介して、無線接続可能に構成されている。なお電子機器（ＴＶ）５０には、ＨＤＭＩを通してレコーダ５０ＡとＵＳＢインタフェースを通してＵＳＢ  ｓｔｏｒａｇｅ５０Ｂとが接続されている。また電子機器（ＴＶ）５０は、アクセスポイント（ＡＰ）６０を介して、ＮＡＳ７０とも接続可能に構成されている。
【００１１】
そして、電子機器（携帯型撮像装置）４０には媒体であるメモリカード１０５が装着されている。この媒体の例としてはＦｌａｓｈＡｉｒ（登録商標）がある。これは、ＳＤカードに無線ＬＡＮ機能を搭載したもので、ＳＤカードにアクセスポイント機能とＨＴＴＰサーバを搭載し、携帯型撮像装置で撮った、メモリカードに入っている写真をパソコン、スマートフォン、タブレット等のＷｅｂブラウザから閲覧・保存できるものである。
【００１２】
ただしメモリカード１０５としては、設定画面のないＳＤカードに無線LANの設定をするための工夫が必要である。
この状態から、携帯型撮像装置４０にメモリカード１０５にアクセスポイントを選択させるＵＩが備わっていることは望ましい。例えば表示画面上の「接続するアクセスポイントを選択してください。」という操作プロンプトの下にＡＰ−1、ＡＰ−２といった選択ボタンが並び、選択後に鍵を入力すればメモリカード１０５は他のアクセスポイントに接続できる。しかしながら携帯型撮像装置にこの機能を余り期待することはできない。現状の実施形態のデータパスとしては、メモリカード１０５はアクセスポイントとしての、あるいはアクセスポイントを使用しないアドホックモード（ピア・ツー・ピアモードまたはインディペンデントモード）接続を電子機器（ＴＶ）５０に対して用いざるを得ない。
【００１３】
図２は、実施形態に係わる携帯型撮像装置のブロック図である。なお、同図においては、携帯型撮像装置４０の主要な部分について示している。
このブロック図は、携帯型撮像装置４０の固体撮像素子で撮像された動画に基づくＣＣＤ（Charge-Coupled Devices）出力信号の処理系を主として示しており、各部の動作を制御する制御部１００と、メモリ回路１０１と、信号処理回路１０２と、圧縮伸長処理回路１０３と、ハードディスクドライブ１０４と、メモリカード１０５と、表示駆動部１０６と、ビデオデコーダ１０７と、ＵＳＢ端子１１０に接続されるＵＳＢコントローラ１１１と、液晶表示部１１７とを含む。
【００１４】
メモリ回路１０１は、制御部１００と各部との間に設けられるとともに制御部１００から出力されるデータ量の大なる信号を一時的に保持する。
信号処理回路１０２は、画像信号であるＣＣＤ出力信号に対して所定の信号処理を行う。
圧縮伸長処理回路１０３は、静止画、動画に応じてＣＣＤ出力信号に対する圧縮伸長処理を行う。本実施の形態の形態では、静止画についてはＪＰＥＧ（Joint Photographic Expert Group）規格に基づく圧縮伸長処理を行い、動画についてはＭＰＥＧ（Motion Picture Experts Group）規格に基づく圧縮伸長処理を行う。
【００１５】
ハードディスクドライブ１０４は、ＦＡＴ３２のファイルシステムに基づいて記録される静止画、動画およびその他のデータを管理する記憶部である。
ビデオデコーダ１０７は、図示しない撮像素子で撮像された画像に基づくＣＣＤ出力信号をデコードして液晶表示部１１７の表示用に信号処理し、表示駆動部１０６に出力する。
【００１６】
ＵＳＢコントローラ１１１は、パーソナル・コンピュータ（ＰＣ）や他の電子機器と静止画あるいは動画のデータをＵＳＢ端子１１０を介して送受信する。
また、制御部１００は、録画スイッチ１１５が外部から押されることにより起動され、ハードディスクドライブ１０４又はメモリカード１０５に記録される動画ファイルのデータ量が例えば８ＧＢに近づくと、予め定めた条件に基づいて液晶表示部１１７の表示画面に表示される動画の撮影経過時刻を８ＧＢに達するまでの減算時間表示に切り替える動作を実行させる減算時間管理部１００Ａを有している。
【００１７】
ＣＣＤ出力信号は、図示しないＡ／Ｄ変換部でデジタル信号に変換されてカメラ信号処理回路１０２に入力し、所定の信号処理を施された後に圧縮伸長処理回路１０３で圧縮処理を施され、メモリ回路１０１を介してハードディスクドライブ１０４又はメモリカード１０５に記録される。このとき、撮影される画像は、ビデオデコーダ１０７を介し、表示駆動部１０６を経て液晶表示部１１７に表示される。
【００１８】
また、再生時は、ハードディスクドライブ１０４又はメモリカード１０５から読み出された画像がメモリ回路１０１を介して圧縮伸長処理回路１０３に入力し、伸長処理を施された後にメモリ回路１０１を介してビデオデコーダ１０７に出力され、表示駆動部１０６を経て液晶表示部１１７に表示される。
【００１９】
ハードディスクドライブ１０４又はメモリカード１０５に記録された静止画または動画を外部機器に転送、あるいは外部機器から受信するときは、ＵＳＢコントローラ１１１を介してＵＳＢ端子１１０から送受信する。
【００２０】
図３は、実施形態に係わる無線接続システムで用いられる、媒体に無線ＬＡＮ接続を設定する側の電子機器（ＴＶ）の構成の一例を示すブロック図である。
この実施形態においては、制御部１１はＣＰＵ（１２）を備えている。ＣＰＵ（１２）は電子機器（テレビ）５０を制御する。
また、ＲＡＭ（１３）、ＲＯＭ（１４）、フラッシュメモリ１５は、例えば、制御部１１で行われる処理に利用される。
また、フラッシュメモリ１５は、このシステムに設定される機器の情報や予め設定されるユーザの情報を記憶することも可能である。
そして、例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２１】
信号処理部４で受信されたデジタル信号の映像コンテンツは信号処理が施され、音声処理部６および映像処理部５に送信される。
音声処理部６は、信号処理が施された映像コンテンツを受信し、音声処理を施した信号をスピーカ９に送信する。
スピーカ９は、音声処理が施された信号を受信し、音声を出力する。
また、映像処理部５は、信号処理が施された映像コンテンツを受信し、映像処理を施した信号を表示装置７に送信する。
表示装置７は、映像処理が施された信号を受信し、ＬＣＤパネル等で構成される表示画面（映像表示部）８に映像を表示する。
また、この実施の形態においては、電子機器（テレビ）５０は、上記のようにＵＳＢ接続やＬＡＮ接続される外部記憶機器１９を備えている。上記受信された映像コンテンツはこの外部記憶機器１９に記録することも可能である。
【００２２】
また、この実施の形態においては、電子機器（テレビ）５０は内部記憶装置１７を備えている。この内部記憶装置１７は、上記外部記録機器１９と同様に、受信した放送番組を丸録りし、タイムシフト再生することが可能である。
【００２３】
また、上記のように、電子機器（テレビ）５０に対するユーザの操作は、例えばリモコン（リモートコントローラ）２１等の操作機器によって指示される。
これらの処理は、上記のように、制御部１１に制御される。
図４は、実施形態に係わる無線接続システムで用いられる、電子機器（テレビ）５０などから無線ＬＡＮ接続を設定される側の電子機器（携帯型撮像装置）４０のメモリカード１０５を中心とする機能ブロックを示す図である。
【００２４】
この実施形態においては、メモリカード１０５は、図４に示すように電子機器（携帯型撮像装置）４０の電源等のリソースの供給の下に、ＷＬＡＮ制御部４１、送受信部４２、記憶部４３、ＷＰＳ処理部４４、ＷＬＡＮアクセスポイント部４５、ＷＬＡＮクライアント部４６、コマンド解析部４７、ＷＬＡＮ設定保存部４８を構成する。
【００２５】
送受信部４２はデータの送受信を行う。記憶部４３は写真や動画を保持する。ＷＰＳ処理部４４はWPS(Wi-Fi Protected Setup（登録商標）)の処理を実施する。ＷＬＡＮアクセスポイント部４５はＷＬＡＮのアクセスポイントとして動作し、またＷＬＡＮクライアント部４６はＷＬＡＮのクライアントとして動作する。
【００２６】
コマンド解析部４７は送受信部４２より受信したコマンドを解析し、ＷＬＡＮの設定情報を取得する。ＷＬＡＮ制御部４１は、無線ＬＡＮの処理を行いアクセスポイントとクライアントの動作を切り替える。取得したＷＬＡＮの設定情報をＷＬＡＮ設定保存部４８に記憶し、ＷＬＡＮクライアント部４６を介してアクセスポイントに接続する。ＷＬＡＮ設定保存部４８はアクセスポイントへの接続に関する情報を保持する。
【００２７】
図５は、実施形態に係わる無線接続システムで用いられる、電子機器（携帯型撮像装置）４０に対して無線ＬＡＮ接続を設定する側の電子機器（ＴＶ）５０の機能ブロックを示す図である。
【００２８】
この実施形態においては、電子機器（ＴＶ）５０は、図５に示すように、表示部５１、ＷＬＡＮ処理部５２、送受信部５３、記憶部５４、コマンド生成部５５、ＷＬＡＮ設定部５６、無線LAN設定保存部６２、を構成する。
【００２９】
表示部５１は設定される側への接続やＷＬＡＮの設定に関するUIを表示する。例えば、電子機器（ＴＶ）５０と接続可能な電子機器（デバイス）をスキャンした結果が表示される。ＷＬＡＮ処理部５２は無線LANクライアントとして動作する。送受信部５３はデータを送受信する。
【００３０】
記憶部５４はUIを保持する。コマンド生成部５５は、設定される側に無線LANのアクセスポイントへの接続情報に関するコマンドを生成する。
ＷＬＡＮ設定部５６は無線LANの設定がない場合に、ユーザにＷＬＡＮ設定を実施してもらうための処理をUIを通して行う。６２は無線LANの設定を保存する。
【００３１】
無線LAN設定保存部６２は、無線ＬＡＮで接続するために必要となる、ＳＳＩＤとＫＥＹ（鍵）を保持する。
ここで、ＳＳＩＤとは、Ｓｅｒｖｉｃｅ  Ｓｅｔ  Ｉｄｅｎｔｉｆｉｅｒの略である。例えば、ＩＥＥＥ  ８０２．１１シリーズの無線ＬＡＮにおけるアクセスポイントの識別子である。例えば、混信を避けるために付けられる名前で、最大３２文字までの英数字を任意に設定することが可能である。
【００３２】
また、複数のアクセスポイントを設置したネットワークを考慮してネットワーク識別子に拡張したものをＥＳＳＩＤという。なお、ＥＳＳＩＤの意味でＳＳＩＤと呼ばれることもある。
【００３３】
図６乃至図８は、実施形態に係わる無線接続システムで用いられる設定動作を説明するシーケンスチャートである。まず、図６について説明し、図７と図８では図６と共通な部分は説明を省略する。
【００３４】
図６は、電子機器（テレビ）５０が無線ＬＡＮ設定により、メモリカード１０５をアクセスポイント（ＡＰ）６０へ接続させるシーケンスの例を示している。
まず電子機器（テレビ）５０における画面遷移として媒体メモリカード１０５との連携が表示され次に移行する（ステップＳ６１）。次は電子機器（テレビ）５０がＬＡＮへスキャンをかける（ステップＳ６２）。ＬＡＮの各チャンネルのアクセスポイントから応答が戻ってくる（ステップＳ６３）。
【００３５】
ここで画面は推移しており、目的とする媒体に接続するため鍵を入力するようプロンプトが表示されていて、ユーザは把握している鍵を入力する（ステップＳ６４）。すると電子機器（テレビ）５０はこの媒体に接続し（ステップＳ６５）、アクセスポイントの設定情報（ＳＳＩＤ、暗号方式、暗号鍵）をコマンドする（ステップＳ６６）。この暗号方式は、例えばWPA2-PSK/AESといったものである。
【００３６】
この媒体、即ちメモリカード１０５はここまでアクセスポイントとして動作し、以下はクライアントとして動作する。まず上記のアクセスポイントの設定情報を用いて対象とするアクセスポイント（ＡＰ）６０に接続する（ステップＳ６７）。
【００３７】
続いて電子機器（テレビ）５０はアクセスポイント（ＡＰ）６０経由でメモリカード１０５に接続し（ステップＳ６８）、表示画面を用いてユーザからの指示を得て（ステップＳ６９）、ユーザ所望の写真閲覧や保存等の処理を行う（ステップＳ７０）。
【００３８】
ユーザがこれらの処理の終了を指示すると（ステップＳ７１）、電子機器（テレビ）５０はアクセスポイント（ＡＰ）６０経由でメモリカード１０５との接続を切断する（ステップＳ７２）。
【００３９】
図７は、電子機器（テレビ）５０が有線ＬＡＮ設定により、メモリカード１０５をアクセスポイント（ＡＰ）６０へ接続させるシーケンスの例を示している。設定する側がＷＬＡＮを利用しておらず、アクセスポイントへの接続情報を保持していない場合に、表示部においてアクセスポイントへの設定を実施する。ステップＳ６５までは図６と同様のシーケンスであるが、アクセスポイントの設定情報（ＳＳＩＤ、暗号方式、暗号鍵）をステップＳ６６の前にユーザが入力して指定する（ステップＳ６６ｐ）。設定する側がＷＬＡＮを利用しておらず、一般にアクセスポイントへの接続情報を保持していない場合に、表示部においてアクセスポイントへの設定を実施することになる。
【００４０】
図８は、電子機器（テレビ）５０が有線ＬＡＮ設定により、メモリカード１０５をアクセスポイント（ＡＰ）６０へ接続させるシーケンスの例を示している。更にWPS（Wi-Fi Protected Setup（登録商標））の設定を実施する場合である。なおここでは認証方式としてPBC（Push Button Configuration）を用いたものを挙げた。他にはPINコードによる設定はあるが省略する。
【００４１】
アクセスポイントの設定情報（ＳＳＩＤ、暗号方式、暗号鍵）をステップＳ６６の前に指定するのに、ユーザはアクセスポイントに相当するボタンを押せばよい（ステップＳ６６ｐａ）。次の２つのシーケンスもWPS（登録商標）を用いて行われる（ステップＳ６６ａ、ステップＳ６７ａ）。
【００４２】
ＴＶが一旦媒体に接続した後、ＴＶ上で無線ＬＡＮの設定を行い、コマンドによってそれを通知することにより、ユーザインターフェースを持たない媒体をアクセスポイントに接続させることができ、ＴＶはＤＭＳなどの機能を維持しながら、媒体内部の写真や動画を閲覧することができる。
【００４３】
以上、概要としてアクセスポイントとクライアント機能を持つ媒体において、最初にアクセスポイントとして起動し、別の装置を接続し、その装置のユーザインターフェースを用いることにより、クライアントとして動作するためにアクセスポイントに接続するための設定を行うことを説明した。
【００４４】
（１）．ユーザインターフェースがなく、無線LANのみの通信しかできず、アクセスポイントとクライアントの両方の機能を持つ、媒体において、最初にアクセスポイントとして起動し、別の装置を接続し、そのデバイスのユーザインターフェースを用いることにより、クライアントとして動作するためにアクセスポイントに接続する設定を行う。
【００４５】
（２）．（１）の結果により、設定を行ったデバイス（ＴＶ）が、アクセスポイントを介して当該媒体にアクセスすることができる。（バックエンドで動作するサービスを維持するために、設定するデバイスはアクセスポイントとの接続と、当該デバイスとの接続を同時に維持しなければならないが、HWの性能上それを実現することができないため）
【００４６】
設定をするデバイスはアクセスポイントとの接続と、ユーザインターフェースがなく、無線LANのみの通信しかできず、かつ、アクセスポイントとクライアントの両方の機能を持つメモリとの接続とを両立することができるようになる。
【００４７】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４８】
４０…第１の電子機器（携帯型撮像装置）、５０…第２の電子機器（ＴＶ）、６０…アクセスポイント（ＡＰ）、１００…制御部、１００Ａ…減算時間管理部、１０１…メモリ回路、１０２…信号処理回路、１０３…圧縮伸長処理回路、１０４…ハードディスクドライブ、１０５…メモリカード、１０６…表示駆動部、１０７…ビデオデコーダ、１１０…ＵＳＢ端子、１１１…ＵＳＢコントローラ、１１５…録画スイッチ、１１７…液晶表示部、１７０…表示画面、１７１…動画マーク、１７２…動画撮影可能時間表示、１７３…動画撮影マーク、１７４…撮影経過時間表示、１７５…バッテリー残量表示、１７６…ズームバー、１７７…操作ガイド、１７８…減算時間表示。
【図１】
2014086846.tif 000003
【図２】
2014086846.tif 000004
【図３】
2014086846.tif 000005
【図４】
2014086846.tif 000006
【図５】
2014086846.tif 000007
【図６】
2014086846.tif 000008
【図７】
2014086846.tif 000009
【図８】
2014086846.tif 000010